(57)【特許請求の範囲】
【請求項１】
管状の熱供給体と、（ａ）前記熱供給体に面接触され接触面で前記熱供給体と熱交換を行う熱授受部と、放吸熱部と、を備えたヒートパイプ、又は、（ｂ）前記熱供給体の内部に挿通固定され前記熱供給体の内部の熱媒体と面接触で熱交換を行う熱授受部と、放吸熱部と、を備えたヒートパイプと、前記ヒートパイプの背面に配設された断熱体と、を備え、
前記断熱体がポリプロピレン等の合成樹脂製で下面が開口する略直方体状に形成された上層断熱体と、上部が前記上層断熱体の開口部に嵌装され独立気泡を有する下層断熱体と、を備えていることを特徴とする床・壁面冷暖房ユニット。
【請求項２】
管状の熱供給体と、（ａ）前記熱供給体に面接触され接触面で前記熱供給体と熱交換を行う熱授受部と、放吸熱部と、を備えたヒートパイプ、又は、（ｂ）前記熱供給体の内部に挿通固定され前記熱供給体の内部の熱媒体と面接触で熱交換を行う熱授受部と、放吸熱部と、を備えたヒートパイプと、前記ヒートパイプの背面に配設された断熱体と、
前記断熱体に内蔵され前記熱供給体や前記ヒートパイプを支持する補強部材と、を備えていることを特徴とする床・壁面冷暖房ユニット。
【請求項３】
前記熱供給体が、前記熱授受部を嵌合する嵌合凹部を備えていることを特徴とする請求項１又は２に記載の床・壁面冷暖房ユニット。
【請求項４】
前記断熱体が、上面の所定部に前記熱供給体及び／又は前記ヒートパイプを係止する係止固定部を備えていることを特徴とする請求項１乃至３の内いずれか１に記載の床・壁面冷暖房ユニット。
【請求項５】
前記係止固定部が、前記断熱体の上面に複数突設された支持体の上端に軸着固定されていることを特徴とする請求項４に記載の床・壁面冷暖房ユニット。
【請求項６】
前記断熱体が、側面に連結凸部及び連結凹部を備えていることを特徴とする請求項１乃至５の内いずれか１に記載の床・壁面冷暖房ユニット。
【請求項７】
前記熱供給体及び／又は前記ヒートパイプの背面及び／又は前面に密接する放熱体を備えていることを特徴とする請求項１乃至６の内いずれか１に記載の床・壁面冷暖房ユニット。
【請求項８】
前記放熱体が、前記熱供給体を嵌装する熱供給体嵌装部と、前記熱供給体嵌装部に連通し前記ヒートパイプを嵌装するヒートパイプ嵌装部と、を備えていることを特徴とする請求項７に記載の床・壁面冷暖房ユニット。
【請求項９】
（ａ）大引や根太等の床支持部材又は柱や間柱等の壁支持部材の間や上面に、又は、（ｂ）床面又は壁面の上面に配設された前記１乃至８の内いずれか１に記載の床・壁面冷暖房ユニットと、前記床・壁面冷暖房ユニットの上面に配設された床材又は壁材と、を備えていることを特徴とする家屋の冷暖房構造。
【請求項１０】
請求項１乃至８の内いずれか１に記載の床・壁面冷暖房ユニットと、床面又は壁面に形成され前記床・壁面冷暖房ユニットが嵌装された嵌装凹部と、前記床・壁面冷暖房ユニットの上面に配設された床材又は壁材と、を備えていることを特徴とする家屋の冷暖房構造。
【請求項１１】
（ａ）大引や根太等の床支持部材又は柱や間柱等の壁支持部材の間や上面に、又は、（ｂ）床面又は壁面の上面に、請求項１乃至８の内いずれか１に記載の床・壁面冷暖房ユニットを配設するユニット配設工程と、前記床・壁面冷暖房ユニットの熱供給体間を連結する配管工程と、前記床・壁面冷暖房ユニットの上面に床材又は壁材を配設する床壁材配設工程と、を備えていることを特徴とする家屋の冷暖房構造の施工方法。
【請求項１２】
既設の床面又は壁面に嵌装凹部を形成する嵌装凹部形成工程と、前記嵌装凹部に請求項１乃至８の内いずれか１に記載の床・壁面冷暖房ユニットを嵌装するユニット嵌装工程と、前記床・壁面冷暖房ユニットの前記熱供給体間を連結する配管工程と、前記床・壁面冷暖房ユニットの上面に床材又は壁材を配設する床壁材配設工程と、を備えていることを特徴とする家屋の冷暖房構造の施工方法。
【発明の詳細な説明】
【０００１】
【発明の属する技術分野】
本発明は、家屋の床及び壁等に内蔵され床や壁等を加熱又は冷却して屋内の冷暖房を行う床・壁面冷暖房ユニット、及びそれを用いた家屋の冷暖房構造、並びに家屋の冷暖房構造の施工方法に関するものである。
【０００２】
【従来の技術】
近年、温水が流れる温水管と、熱媒体が注入されたヒートパイプと、を有し、温水管を流れる温水の熱をヒートパイプへ伝達し床の暖房を行う床・壁面冷暖房ユニットが開発されている。
従来の床・壁面冷暖房ユニットとしては、韓国実用新案１７０４０２号公報（以下、イ号公報という）に「パネルを横切り配置された温水管と、蛇行状に形成され所定部で温水管と点溶接されたヒートパイプと、を備えた温水オンドルパネル」が開示されている。
【０００３】
【発明が解決しようとする課題】
しかしながら上記従来の床・壁面冷暖房ユニットにおいては、以下のような課題を有していた。
（１）イ号公報に開示の温水オンドルパネルでは、ヒートパイプが蛇行状に形成され所定部で温水管と点溶接されているので、温水管の熱をヒートパイプに伝達するために必要な温水管とヒートパイプとの接触面積が小さく、温水管からヒートパイプへの伝熱効率が低くヒートパイプからの放熱量が小さいという課題を有していた。
（２）そのため、ヒートパイプからの放熱量を補うために温水管を流れる温水の温度を高めなくてはならず、温水を温めるために過剰なボイラ等の設備負荷及びエネルギーを要するという課題を有していた。
【０００４】
本発明は上記従来の課題を解決するもので、伝熱効率に優れるとともに断熱性に優れ、また、ボイラ等の設備負荷が小さく省エネルギー性に優れ、温度斑がなく冷暖房効率に優れ、さらに、施工性と耐久性に優れる床・壁面冷暖房ユニットを提供することを目的とする。
また、本発明は、温度斑のない均一冷房又は暖房による快適性と断熱性の両方に優れるとともに品質の安定性に優れる家屋の冷暖房構造を提供することを目的とする。
さらに、本発明は、作業工程を極めて簡略化でき作業工数を削減し工期を大幅に短縮することができるとともに品質の安定性に優れる家屋の冷暖房構造の施工方法を提供することを目的とする。
【０００５】
【課題を解決するための手段】
上記従来の課題を解決するために本発明の床・壁面冷暖房ユニット及び家屋の冷暖房構造並びにその施工方法は、以下の構成を有している。
【０００６】
本発明の請求項１に記載の床・壁面冷暖房ユニットは、管状の熱供給体と、（ａ）前記熱供給体に面接触され接触面で前記熱供給体と熱交換を行う熱授受部と、放吸熱部と、を備えたヒートパイプ、又は、（ｂ）前記熱供給体の内部に挿通固定され前記熱供給体の内部の熱媒体と面接触で熱交換を行う熱授受部と、放吸熱部と、を備えたヒートパイプと、前記ヒートパイプの背面に配設された断熱体と、を備え、前記断熱体がポリプロピレン等の合成樹脂製で下面が開口する略直方体状に形成された上層断熱体と、上部が前記上層断熱体の開口部に嵌装され独立気泡を有する下層断熱体と、を備えた構成を有している。
この構成により、以下のような作用が得られる。
（１）ヒートパイプの熱授受部が熱供給体と面接触しているので、接触面積が広く、熱供給体から供給される熱のヒートパイプへの伝熱効率に優れる。
（２）熱供給体の熱がヒートパイプに伝達されるので、熱供給体を床や壁の全面に配置する必要がなく、熱供給体の全長を短くすることができる。従って、熱供給体として温水や冷水等の液体が流れる通液部を用いた場合には、液体の流量を少なくすることができ、温水や冷水等を得るための光熱費の削減と、ボイラ、温水循環ポンプ、温水分配機等の設備負荷及びエネルギーを削減することができる。また、熱供給体としてシーズヒータ等の発熱体を用いた場合には、発熱体を加熱するためのエネルギーを削減することができる。
（３）熱供給体として液体の流れる通液部を用いた場合には、液体の流量を少なくすることができるので、暖房始動時等のボイラ等の稼働時間を短くすることができ、所望する冷暖房温度が短時間で得られ快適性に優れる。
（４）ヒートパイプと熱供給体とは面接触しているだけなので、構造が簡単で耐久性に優れる。
（５）熱授受部が熱供給体の内部で挿通固定されると、熱供給体の外表面の形状に関わらず、熱授受部と熱供給体とを面接触させることができ自在性に優れる。
（６）熱授受部が熱供給体の内部で挿通固定されると、熱供給体内部の温水等の液状熱媒体と熱授受部が直接熱交換するので、熱効率に優れる。
（７）断熱体を背面に有しているので、熱供給体やヒートパイプからの熱の背面への流出を防止するので、熱効率に優れるとともに省エネルギー性に優れる。また、遮音性にも優れる。
（８）断熱体を機械的強度の高い上層断熱体と発泡性が高く断熱性の高い下層断熱体とを組み合わせた構造としているので、上層断熱体で熱供給体やヒートパイプを支持するとともに下層断熱体による優れた断熱効果や遮音効果が得られる。
【０００７】
ここで、熱供給体としては、内部にボイラ等で加熱された温水や冷水等の液状熱媒体が流れる通液部や、シーズヒータ等の発熱体挿入孔部を備えたものが用いられるが、通液部は、熱容量の大きな液体を用いていれば冷め難く温度制御が容易であるとともに、電気製品等に障害を与える電磁波の発生がないので好ましく用いられる。
なお、熱供給体の材質としては、銅製，ステンレス製，アルミニウム製，マグネシウム製，チタン製等の金属製や、ポリブテン製，架橋ポリエチレン製等の合成樹脂製等が用いられ管状に形成される。
家屋に配設される熱供給体は、四半間（約０．３１ｍ）、半間（約０．６１ｍ），１間（約１．８２ｍ）程度のものからそれ以上の長さのものまで所定長さに形成される。また、通液部の外形形状は、設置場所に応じて、略円形状，略楕円形状、略三角状，略四角形状等の多角形状等、それらを組み合わせた不定形状等や、それらの一部に溝部や突起等を形成したもの等種々の形状のものを用いることができる。
【０００８】
ヒートパイプとしては、銅製，ステンレス製，アルミニウム製，マグネシウム製，チタン製等の金属製や、ポリブテン製，架橋ポリエチレン製等の合成樹脂製等で管状に形成される。
ヒートパイプの形状としては、ループ状、略蛇腹状、略Ｌ字状、略Ｕ字状、略矩形状等種々の形状のものを用いることができる。また、薄型の板状や筒状等の中空密閉容器状に形成された本体内に隔壁等によって仕切られて略蛇腹状やループ状等に形成されたものも用いることができる。
【０００９】
ヒートパイプの内径としては、０．１〜１０ｍｍ、好ましくは１〜６ｍｍ、より好ましくは２〜４ｍｍとされる。内径が２〜４ｍｍの場合は、ヒートパイプに注入される後述の熱媒体の蒸発と凝縮を適正にすることができ、気液の移動速度が大きく伝熱効率に優れるため好ましい。１〜２ｍｍの場合はヒートパイプの断面積が小さくなり熱の輸送量が小さくなる傾向がみられ、４〜６ｍｍの場合は毛細管現象が働き難くなり気液の移動速度が小さくなる傾向がみられる。０．１〜１ｍｍの場合は、熱の輸送量が小さくなるとともにヒートパイプ内の減圧や熱媒体の注入が困難になりヒートパイプの製造が困難になる傾向がみられ、６〜１０ｍｍの場合は、さらに気液の移動速度が小さくなり伝熱効率が低下する傾向がみられるため好ましくない。特に、０．１ｍｍより小さくなるか１０ｍｍより大きくなると、これらの傾向が著しくなるためいずれも好ましくない。
【００１０】
ヒートパイプの熱授受部を熱供給体に面接触させて固定するため、ヒートパイプの熱授受部は、溶接，ろう付け，接着，溶着等の接合手段によって熱供給体に固定される。また、熱供給体に溝部を形成してそこに熱授受部を装着し、バンド等で緊締したりクリップ等で圧接して固定することもできる。熱授受部に溶接，ろう付け等で接合可能な板状体を接合し、その板状体を熱供給体に溶接，圧接等によって固定することもできる。熱授受部と熱供給体との接触面積を大きくするためである。なお、熱授受部と熱供給体とを緊締したり圧接して固定する場合は、接触面にシリコングリスや熱硬化性接着剤等を介在させると接触面積がより広がるため好ましい。
また、熱供給体の上面とヒートパイプの上端面とが面一になるように熱供給体にヒートパイプを固定すると、床材や壁材等を安定にして熱供給体及びヒートパイプの上に配設できるので好ましい。
【００１１】
なお、ヒートパイプは、家屋の冷暖房構造に応じて適宜選択して、熱供給体の１面又は複数面に配設することができる。複数面に配設された場合、ヒートパイプは熱供給体を軸に対称、又は千鳥状等の非対称に配設することができ、壁面や床面の形状や構造等によっては、各方向に配設されたヒートパイプの数を相違させることもできる。これにより、加熱するのが好ましくない書庫やテレビ等が配置される箇所にはヒートパイプを配設しない等の設計をすることができ、自由度に優れる。
【００１２】
熱供給体の内部で挿通固定されたヒートパイプの端部は、ヒートパイプ内部の通液部で固定されていてもよいし、ヒートパイプを完全に貫通してヒートパイプ外部で固定されていてもよい。
【００１３】
ヒートパイプに注入される熱媒体としては、フロンＨＣＨＣ−１４１ｂや１４２ｂ等のフロン系溶剤、メタノール、エタノール、プロパノール、アセトン、ベンゼン、メチルエチルケトン、アンモニア、エーテル等の揮発性を有する媒体が用いられ、使用する温度に応じて適宜選択することができる。なお、熱媒体の沸騰開始温度を低下させて熱伝達効率を向上させるためヒートパイプ内は減圧され、端部は溶接，接着等で蓋部が固定されて封止される。
【００１４】
ここで、ヒートパイプに封入される熱媒体の量は、ヒートパイプの内容積に対し、３０〜７０ｖｏｌ％好ましくは４０〜６０ｖｏｌ％とされる。４０〜６０％の場合は、過熱現象が発生せず、また伝熱に必要な気泡の量を確保することができ好ましい。４０ｖｏｌ％より少なくなるにつれ過熱現象が発生し易くなる傾向がみられ、６０ｖｏｌ％より多くなるにつれ気泡の量が不足し伝熱効率が低下する傾向がみられるため、いずれも好ましくない。特に、３５ｖｏｌ％より少なくなるか７０ｖｏｌ％より多くなると、これらの傾向が著しくなるため、いずれも好ましくない。
【００１５】
減圧されたヒートパイプ内の真空度は、１．３〜１．３×１０−４Ｐａ、好ましくは１．３×１０−１〜１．３×１０−２Ｐａとされる。１．３×１０−１〜１．３×１０−２Ｐａの場合は、良好な気相部の移動速度が得られ伝熱効率が優れる。１．３×１０−１Ｐａより真空度が低くなるにつれ気相部の移動が起こり難く伝熱効率が低下する傾向がみられ、１．３×１０−２Ｐａより真空度が高くなるにつれ減圧時間が長くなり作業性が低下する傾向がみられるとともに、ヒートパイプの肉厚が薄い等の場合に潰れ易くなる傾向がみられるため好ましくない。特に、１．３Ｐａより真空度が低くなるか１．３×１０−４Ｐａより真空度が高くなるとこれらの傾向が著しくなるため、いずれも好ましくない。
【００１６】
断熱体としては、グラスウール，ロックウール等の無機繊維系、ウレタンフォーム，発泡ポリスチレン等の合成樹脂系、木質繊維系等の繊維や独立気泡内に空気等の気体を含有するものが用いられる。
【００１７】
本発明の請求項２に記載の床・壁面冷暖房ユニットは、管状の熱供給体と、（ａ）前記熱供給体に面接触され接触面で前記熱供給体と熱交換を行う熱授受部と、放吸熱部と、を備えたヒートパイプ、又は、（ｂ）前記熱供給体の内部に挿通固定され前記熱供給体の内部の熱媒体と面接触で熱交換を行う熱授受部と、放吸熱部と、を備えたヒートパイプと、前記ヒートパイプの背面に配設された断熱体と、前記断熱体に内蔵され前記熱供給体や前記ヒートパイプを支持する補強部材と、を備えた構成を有している。
この構成により、請求項１に記載の作用に加え、以下のような作用が得られる。
（１）断熱体の変形を防止することができるとともに床面や壁面からの荷重から熱供給体とヒートパイプの熱授受部との接合部を保護することができるので耐久性に優れる。
【００１８】
補強部材は、ポリプロピレンやＡＢＳ等の合成樹脂製で成形することができる。
【００１９】
本発明の請求項３に記載の発明は、請求項１又は２に記載の床・壁面冷暖房ユニットであって、前記熱供給体が、前記熱授受部を嵌合する嵌合凹部を備えた構成を有している。
この構成により、請求項１又は２で得られる作用に加え、以下のような作用が得られる。
（１）嵌合凹部を備えているので、ヒートパイプと熱供給体との接触面積が増大し、伝熱効率に優れる。
（２）ヒートパイプと熱供給体とを各々製造し、ヒートパイプを熱供給体に形成された嵌合凹部に嵌合させれば、ヒートパイプと熱供給体とが密接されるので生産性に優れるとともに、ヒートパイプの熱授受部の位置が固定され品質の安定性に優れる。
（３）ヒートパイプと熱供給体とを各々製造することができるので、各々の加工が容易で生産性に優れるとともに品質の安定性に優れる。
【００２０】
ここで、嵌合凹部としては、深さがヒートパイプの外径よりも大きく形成されたものが用いられ、熱供給体に形成された溝部や熱供給体から突設された突起状のものが用いられる。また、熱供給体の長手方向に連続して形成されているものや、熱授受部が配設される場所に断続して形成されているものが用いられる。
また、ヒートパイプを嵌合凹部に嵌合し、さらに溶接，ろう付け等で固定することもできる。機械的強度を向上させるとともに接触面積をさらに大きくするためである。
また、嵌合凹部に嵌合した熱授受部の表面に合成樹脂発泡体等の断熱体を充填して熱授受部を断熱体で埋設すると、熱授受部と熱供給体との熱効率が高まるため好ましい。
【００２１】
請求項４に記載の発明は、請求項１乃至３の内いずれか１に記載の床・壁面冷暖房ユニットであって、前記断熱体が、上面の所定部に前記熱供給体及び／又は前記ヒートパイプを係止する係止固定部を備えた構成を有している。
この構成により、請求項１乃至３の内いずれか１で得られる作用に加え、以下のような作用が得られる。
（１）断熱体の上面の係止固定部で熱供給体やヒートパイプを係止固定できるので施工性に優れる。
（２）係止固定部が熱供給体やヒートパイプを支持して、床面からの荷重から熱供給体とヒートパイプの熱授受部との接合部を保護することができるので耐久性に優れる。
【００２２】
ここで、係止固定部としては、断熱体の上面の所定部に突出し熱供給体やヒートパイプを嵌着する矩形状や円弧状等の半割状等の係止固定部、断熱体の上面の所定部に突出し熱供給体やヒートパイプの外周下部を係止する凹部を有する突起状の係止固定部、断熱体の上面の所定部に凹設され熱供給体やヒートパイプを嵌装する凹状の係止固定部等が用いられる。なお、ヒートパイプを嵌着する矩形状や円弧状等の半割状等の係止固定部の場合は、係止固定部を支持部に軸支して回動自在に固定すると、断熱体上の所望の位置に熱供給体やヒートパイプを係止できるので自在性に優れ好ましい。
【００２３】
本発明の請求項５に記載の発明は、請求項４に記載の床・壁面冷暖房ユニットであって、前記係止固定部が、前記断熱体の上面に複数突設された支持体の上端に軸着固定された構成を有している。
この構成により、請求項４で得られる作用に加え、以下のような作用が得られる。
（１）断熱体上の所望の位置に熱供給体やヒートパイプを係止できるので自在性に優れる。
【００２４】
本発明の請求項６に記載の発明は、請求項１乃至５の内いずれか１に記載の床・壁面冷暖房ユニットであって、前記断熱体が、側面に連結凸部及び連結凹部を備えた構成を有している。
この構成により、請求項１乃至５の内いずれか１で得られる作用に加え、以下のような作用が得られる。
（１）連結凸部を連結凹部に係止して敷設することができるので、位置決めが容易で施工の作業性に優れる。
（２）隙間無く連結されるので、振動等によってずれたり変形したりすることがなく耐久性に優れる。
【００２５】
ここで、連結凸部や連結凹部としては、略三角状や略四角状等の多角形状や略円状等やこれらを組み合わせた形状等、種々の形状のものが用いられる。また、連結凸部の基部が狭く端部を広く形成し、連結凹部はそれを嵌入できる形状に形成すると、一旦係止されたものが容易に外れ難く、振動等によるずれだけでなく引張にも抗し耐久性が増すので好ましい。
【００２６】
本発明の請求項７に記載の発明は、請求項１乃至６の内いずれか１に記載の床・壁面冷暖房ユニットであって、前記熱供給体及び／又は前記ヒートパイプの背面及び／又は前面に密接する放熱体を備えた構成を有している。
この構成により、請求項１乃至６の内いずれか１で得られる作用に加え、以下のような作用が得られる。
（１）放熱体が熱供給体やヒートパイプの直上部以外にも熱を拡散させて伝達させるので、温度分布を均一にすることができ温度ムラがなく快適性に優れる。
【００２７】
ここで、放熱体としては、アルミニウム製、ガルバニウム鋼製、亜鉛製、銅製、等の薄板や箔状体、これらの薄板や箔状体に穴部が形成されているもの、これらの材質を針金状に成形したものをメッシュ状に形成したもの等が用いられる。また、コンクリート敷設時に用いられる鉄筋や溶接金網等も放熱体として用いることができる。
熱供給体上面やヒートパイプの放吸熱部上面が面一に配設されていると、熱供給体上面やヒートパイプの上面に載置する平坦な板状やメッシュ状等の放熱体を用いることができ好ましい。
【００２８】
本発明の請求項８に記載の発明は、請求項７に記載の床・壁面冷暖房ユニットであって、前記放熱体が、前記熱供給体を嵌装する熱供給体嵌装部と、前記熱供給体嵌装部に連通し前記ヒートパイプを嵌装するヒートパイプ嵌装部と、を備えた構成を有している。
この構成により、請求項７で得られる作用に加え、以下のような作用が得られる。
（１）熱供給体嵌装部とヒートパイプ嵌装部とを備えているので、熱供給体とヒートパイプとを嵌装して放熱体の上面を面一にすることができ、放熱体の上面に配設される床材や壁材等の施工性に優れるとともに床面や壁面への伝熱効率に優れる。
（２）熱供給体嵌装部とヒートパイプ嵌装部が、熱供給体とヒートパイプから放射された熱を輻射・反射させるので、床面や壁面への伝熱効率に優れる。
【００２９】
ここで、熱供給体嵌装部とヒートパイプ嵌装部は、熱供給体やヒートパイプの外径よりも深く形成され、熱供給体やヒートパイプの上端面が、放熱体の上端面と面一又はそれより低くなるように形成される。
また、熱供給体嵌装部やヒートパイプ嵌装部の形状は、熱供給体やヒートパイプの放吸熱部の形状に応じて形成される。なお、ヒートパイプの放吸熱部の形状が略Ｕ字状の場合は、略Ｕ字状の他、略半長円状や略半楕円状に形成することもでき、ヒートパイプの放吸熱部の形状が略矩形状の場合は、略矩形状の他、略方形状に形成することもできる。なお、ヒートパイプ嵌装部や熱供給体嵌装部にヒートパイプや熱供給体を嵌装した後、ヒートパイプ嵌装部等の上面に平板状やアルミニウム箔等の箔状等の補助放熱体を配設固定して、補助放熱体とヒートパイプ嵌装部等の間にヒートパイプや熱供給体を介装すると好ましい。放熱体の温度分布を均一にするためである。なお、補助放熱体は接着剤や粘着剤等で放熱体上に固定することもできる。
【００３０】
本発明の請求項９に記載の家屋の冷暖房構造は、（ａ）大引や根太等の床支持部材又は柱や間柱等の壁支持部材の間や上面に、又は、（ｂ）床面又は壁面の上面に配設された前記１乃至８の内いずれか１に記載の床・壁面冷暖房ユニットと、前記床・壁面冷暖房ユニットの上面に配設された床材又は壁材と、を備えた構成を有している。
この構成により、以下のような作用が得られる。
（１）冷房又は暖房による快適性と断熱性の両方に優れる。
（２）床・壁面冷暖房ユニットが断熱体を備えている場合は、熱供給体やヒートパイプからの熱の流出を防止し、熱効率に優れるとともに省エネルギー性に優れる。また、遮音性にも優れる。
（３）放熱体を備えている場合は、放熱体が熱供給体やヒートパイプの直上部以外にも熱を拡散させて床面や壁面に伝達させるので、床面や壁面の温度分布を均一にすることができ温度ムラがなく快適性に優れる。
（４）既設の床面や壁面の上面に床・壁面冷暖房ユニットが配設されると、床・壁面を冷暖房構造とする家屋のリフォームを容易に行うことができる。
【００３１】
ここで、床材又は壁材としては、フローリング、畳、カーペット等のシート、石材、小石、ガラス粒、木材屑、椰子等の木質材の繊維、炭、セメントコンクリート，アスファルトコンクリート，レジンコンクリート，プラスチックコンクリート，ポリマーセメントコンクリート，シンダーコンクリート等のコンクリート、モルタル、アスファルト、合成樹脂製充填剤、泥、珪藻土、石膏等やこれらの混合体や積層体等が用いられる。床材や壁材の背面に窪部を形成して、窪部に床・壁面冷暖房ユニットを収納するようにすることもできる。
【００３２】
本発明の請求項１０に記載の家屋の冷暖房構造は、請求項１乃至８の内いずれか１に記載の床・壁面冷暖房ユニットと、床面又は壁面に形成され前記床・壁面冷暖房ユニットが嵌装された嵌装凹部と、前記床・壁面冷暖房ユニットの上面に配設された床材又は壁材と、を備えた構成を有している。
この構成により、請求項９に記載の作用に加え、以下のような作用が得られる。
（１）既設の床面や壁面に形成された嵌装凹部に、床・壁面冷暖房ユニットを嵌装して床面や壁面をフラット状に形成できるので、その上面に配設された床材や壁材の厚み分だけしか床面や壁面の厚みが増加しないため、施工後の違和感が少なく快適性に優れる。
【００３３】
ここで、嵌装凹部としては、熱供給体やヒートパイプ等が配設される既設の床面や壁面の位置に、熱供給体やヒートパイプが嵌装されるような幅と深さに切削等されて形成されたものが用いられる。なお、嵌装凹部は、必要に応じて、熱供給体間を連結する配管等も嵌装できるように形成することができる。
【００３４】
床材又は壁材としては、請求項９で説明したものと同様のものが用いられる。床材や壁材の背面に窪部を形成して、窪部に床・壁面冷暖房ユニットを収納するようにすることもできる。
【００３５】
本発明の請求項１１に記載の家屋の冷暖房構造の施工方法は、（ａ）大引や根太等の床支持部材又は柱や間柱等の壁支持部材の間や上面に、又は、（ｂ）床面又は壁面の上面に、請求項１乃至８の内いずれか１に記載の床・壁面冷暖房ユニットを配設するユニット配設工程と、前記床・壁面冷暖房ユニットの熱供給体間を連結する配管工程と、前記床・壁面冷暖房ユニットの上面に床材又は壁材を配設する床壁材配設工程と、を備えた構成を有している。
この構成により、以下のような作用が得られる。
（１）床支持部材や壁支持部材の間や上面に、又は、床面や壁面の上面に、定型化された床・壁面冷暖房ユニットを敷き詰めて配設し、熱供給体間の配管を行った後に床材又は壁材を配設するだけなので、作業工程を極めて簡略化でき作業工数を削減することができる。
（２）ユニット化されているので、部品点数が少なく、また位置決め等も容易で作業の間違い等による建築資材の破損損失が防止できるとともに工期を大幅に短縮することができる。
（３）床・壁面冷暖房ユニットは工場で安定生産することができ、建築現場では該ユニットを床支持部材や壁支持部材の上面や間、又は床面や壁面の上面に配設した後に配管するだけなので、作業が簡便で品質の安定性に優れる。
【００３６】
ここで、床支持部材としては、大引，根太，スラブ，金属製等の棒状部材等で格子状に形成された格子状構造物等が用いられる。
壁支持部材としては、柱，間柱，金属製等の棒状部材等で格子状に形成された格子状構造物等が用いられる。
【００３７】
本発明の請求項１２に記載の家屋の冷暖房構造の施工方法は、既設の床面又は壁面に嵌装凹部を形成する嵌装凹部形成工程と、前記嵌装凹部に請求項１乃至８の内いずれか１に記載の床・壁面冷暖房ユニットを嵌装するユニット嵌装工程と、前記床・壁面冷暖房ユニットの前記熱供給体間を連結する配管工程と、前記床・壁面冷暖房ユニットの上面に床材又は壁材を配設する床壁材配設工程と、を備えた構成を有している。
この構成により、請求項１１に記載の作用に加え、以下のような作用が得られる。
（１）嵌装凹部形成工程を有しているので、既設の床面や壁面に形成された嵌装凹部に、床・壁面冷暖房ユニットを嵌装して床面や壁面をフラット状に形成できる。そのため、床壁材配設工程で配設される床材や壁材は標準のものを用いることができ施工性に優れるとともに、配設された床材や壁材の厚み分だけしか床面や壁面の厚みが増加せず、施工後の違和感が少なく快適性に優れた家屋の冷暖房構造が得られる。
【００３８】
ここで、嵌装凹部形成工程としては、床・壁面冷暖房ユニットの熱供給体やヒートパイプが配設される既設の床面や壁面の位置に、熱供給体やヒートパイプが嵌装されるような幅と深さに切削等によって嵌装凹部を形成するものが用いられる。また、必要に応じて、熱供給体間を連結する配管等を嵌装する嵌装凹部を形成することができ、配管工程で熱供給体間を連結した配管等をこれに嵌装させることができる。
ユニット嵌装工程としては、形成された嵌装凹部に床・壁面冷暖房ユニットの熱供給体やヒートパイプを嵌装するものが用いられる。床・壁面冷暖房ユニットが放熱体を有している場合は、嵌装凹部に放熱体も嵌装することができる。
【００３９】
【発明の実施の形態】
以下、本発明の一実施の形態を、図面を参照しながら説明する。
（実施の形態１）
図１は本発明の実施の形態１における床・壁面冷暖房ユニットの斜視図であり、図２はそのＡ−Ａ線の断面図であり、図３はヒートパイプに封入された熱媒体の概略図である。
図１及び図２において、１は実施の形態１の床・壁面冷暖房ユニット、２は銅，ステンレス，アルミニウム等の金属製等で形成され断面が略方形状に形成された熱供給体、３は熱供給体２の長手方向と略平行に形成され内部を温水や冷水等が流れる断面が略円形状の通液部、４は熱供給体２の両側面に長手方向と略平行に連続して形成され熱授受部６（後述する）の外径寸法より深い凹状に形成された嵌合凹部、５は銅，ステンレス，アルミニウム等の金属製やポリブテン，架橋ポリエチレン等の合成樹脂製等でループ状に形成されて熱供給体２の両側部に配設されたヒートパイプ、６は嵌合凹部４に嵌合固定され熱供給体２の側部と面接触するヒートパイプ５の熱授受部、７は熱供給体２の側方に略矩形状に張り出し上面が熱供給体２の上面と面一になるように熱授受部６寄りの所定部で上方に屈曲して形成されたヒートパイプ５の放吸熱部、８は略矩形状で放吸熱部７の外側に湾曲して形成され上面が熱供給体２の上面と面一になるように熱授受部６寄りの所定部で上方に屈曲して形成されたヒートパイプ５の放吸熱部である。
図３において、９はヒートパイプ５に注入されたメチルアルコール，エチルアルコール，フロンＨＣＨＣ１４１ｂや１４２ｂ等の熱媒体、９ａは熱媒体９の液相部、９ｂは熱媒体９の液相部９ａが蒸発した蒸気泡からなり飽和蒸気圧で液相部９ａと平衡状態にある気相部である。液相部９ａと気相部９ｂはヒートパイプ５内でランダムに分布している。
【００４０】
以上のように構成された実施の形態１の床・壁面冷暖房ユニットについて、以下その動作を説明する。
暖房用の場合は、床・壁面冷暖房ユニット１が床下面や壁面に埋設され通液部３が各該ユニット１間で連結され、両端部の該ユニット１はボイラ（図示せず）等と接続される。次いで、熱供給体２の通液部３内に熱媒体９の沸騰開始温度以上に加熱された温水等を流す。温水等によって加熱された熱供給体２は、嵌合凹部４に嵌合されたヒートパイプ５の熱授受部６を加熱する。加熱されたヒートパイプ５は封入された熱媒体９を加熱する。沸騰開始温度以上に加熱された熱媒体９は蒸発して蒸気泡を生じ、体積膨張により平衡状態が崩れ液相部９ａと気相部９ｂの移動が起こる。気相部９ｂは放吸熱部７，８で熱を放出し蒸気泡が凝縮され体積が縮小されるとともに低温液化する。体積が縮小された放吸熱部７，８の気相部９ｂに向けた新たな気相部９ｂの移動によって熱が熱授受部６から放吸熱部７，８に伝達される。温水等によって熱供給体２から放出される熱、及びヒートパイプ５の放吸熱部７，８から放出される熱によって暖房が行われる。
冷房用の場合は、熱供給体２の通液部３内に熱媒体９の沸騰開始温度以下に冷却された冷水等を流し、嵌合凹部４に嵌合されたヒートパイプ５の熱授受部６を冷却する。すると上述の暖房運転の場合とは逆に、熱が放吸熱部７，８から熱授受部６に伝達される。冷水等によって冷却された熱供給体２、及びヒートパイプ５の放吸熱部７，８で吸収された熱によって冷房が行われる。
【００４１】
以上のように実施の形態１の床・壁面冷暖房ユニットは構成されているので、以下のような作用が得られる。
（１）ヒートパイプの熱授受部が熱供給体と面接触しているので、接触面積が広く、熱供給体から供給される熱のヒートパイプへの伝熱効率に優れる。
（２）熱供給体の熱がヒートパイプに伝達されるので、熱供給体を床や壁の全面に配置する必要がなく、熱供給体の全長を短くすることができる。従って、熱供給体に流す液体の流量を少なくすることができ、温水や冷水等を得るための光熱費の削減と、ボイラ、温水循環ポンプ、温水分配機等の設備負荷及びエネルギーを削減することができる。
（３）熱供給体に流す液体の流量を少なくすることができるので、暖房始動時等のボイラ等の稼働時間を短くすることができ、所望する冷暖房温度が短時間で得られ快適性に優れる。
（４）ヒートパイプと熱供給体とは面接触しているだけなので、構造が簡単で耐久性に優れる。
（５）熱供給体の上面とヒートパイプの上面とが面一になるように熱供給体にヒートパイプが固定されているので、床材や壁材等を安定に熱供給体及びヒートパイプの上に配設できる。
（６）嵌合凹部を備えているので、ヒートパイプと熱供給体との接触面積が増大し、伝熱効率に優れる。
（７）ヒートパイプを熱供給体に形成された嵌合凹部に嵌合させれば、ヒートパイプと熱供給体とが密接されるので生産性に優れる。
【００４２】
次に、床・壁面冷暖房ユニットの応用例について、図面を参照しながら、以下説明する。
図４は、床・壁面冷暖房ユニットの応用例を示す要部斜視図である。
図４（ａ）において、１０は床・壁面冷暖房ユニット、１１はステンレス製等の金属製で断面が略円形状に形成された熱供給体、１２は断面が略円形状に形成され熱供給体１１の長手方向と略平行に形成された通液部、１３はステンレス製等の金属製で蛇腹状に形成され内部にフロン系溶剤、エタノール等の熱媒体が封入され両端部が封止されたヒートパイプ、１４は熱供給体１１の外周面の長手方向に略平行して溶接等で固定され面接触するヒートパイプ１３の熱授受部、１５は略Ｕ字状に形成されたヒートパイプ１３の放吸熱部である。これにより、ステンレス製等の金属製で形成されたヒートパイプが、ステンレス製等の金属製で形成された熱供給体に溶接等で固定されているので、製造を容易に行うことができる。
なお、ヒートパイプ１３の熱授受部１４と面接触する熱供給体１１の所定部を凹状に陥没させ、ここに熱授受部１４を固定することができる。これにより、熱授受部１４と熱供給体１１との接触面積を広くすることができ、簡単な構造で熱供給体からヒートパイプへの伝熱効率を高めることができる。
【００４３】
図４（ｂ）において、２０は床・壁面冷暖房ユニット、２１はアルミニウム製等の金属製で断面が略円形状に形成された熱供給体、２２は断面が略円形状に形成され熱供給体２１の長手方向と略平行に形成された通液部、２３は各々が熱供給体２１の長手方向と略平行に断続して形成された溝部、２４は銅製等の金属製やポリブテン製等の合成樹脂製で形成され内部にフロン系溶剤、エタノール等の熱媒体が封入され両端部が封止され略Ｌ字状に形成されたヒートパイプ、２５は溝部２３に装着され熱供給体２１と面接触するヒートパイプ２４の熱授受部、２６は略直線状に形成されたヒートパイプ２４の放吸熱部、２７は熱供給体２１と熱授受部２５とを固定するバンド等の緊締部材である。これにより、溝部が形成されているのでヒートパイプの位置ずれ等を防止でき、またバンド等の緊締部材でヒートパイプが固定されているので溶接等ができない材質で形成されたヒートパイプや熱供給体の固定ができる。さらに、緊締部材を外せばヒートパイプの交換ができメンテナンス性に優れる。
【００４４】
図４（ｃ）において、３０は床・壁面冷暖房ユニット、３１は架橋ポリエチレン製等の合成樹脂製で断面が略円形状に形成された熱供給体、３２は断面が略円形状に形成され熱供給体３１の長手方向と略平行に形成された通液部、３３は当接面が円弧状の曲面の板状体に形成され熱供給体３１の側面に当接される銅製等の金属製で形成された熱授受部、３４は内部にフロン系溶剤、エタノール等の熱媒体が封入され両端部が封止され基部が熱授受部３３にろう付け等で固着された直線状の放吸熱部、３５は熱供給体３１と熱授受部３３とを固定するバンド等の緊締部材である。これにより、直線状のヒートパイプであっても熱供給体に固定することができ、自在性に優れる。また、溶接等ができない材質で形成されたヒートパイプや熱供給体の固定ができるとともに、ヒートパイプの交換が容易できメンテナンス性に優れる。さらに、接触面積を広くすることができ、伝熱効率に優れる。
【００４５】
（実施の形態２）
図５は、実施の形態２における床・壁面冷暖房ユニットの要部斜視図である。
図中、４０は床・壁面冷暖房ユニット、４１はポリブテン製等の合成樹脂製で断面が略円形状に形成された熱供給体、４２は断面が略円形状に形成され熱供給体４１の長手方向と略平行に形成された通液部、４３は銅製等の金属製等で略Ｕ字状に形成された放吸熱部、４４は熱供給体４１の内部に穿設された孔部に基部が挿通固定され熱供給体４１と溶着され面接触する熱授受部である。
以上のように実施の形態２の床・壁面冷暖房ユニットは構成されているので、熱供給体の外表面の形状に関わらず、熱授受部と熱供給体の内部の温水等の液状熱媒体とを面接触させることができ自在性に優れるという作用が得られる。また、伝熱効率に優れるという作用が得られる。
【００４６】
（実施の形態３）
図６は実施の形態３における床・壁面冷暖房ユニットの分解斜視図である。なお、実施の形態１で説明したものと同様のものは、同じ符号を付して説明を省略する。
図中、５０は実施の形態３の床・壁面冷暖房ユニット、１１は熱供給体、１２は通液部、１３はヒートパイプ、１４は熱授受部、１５は放吸熱部、５１はアルミニウム製，銅製，亜鉛製等の薄板で略方形状に形成された放熱体、５２は放熱体５１の略中央部に凹設され熱供給体１１が嵌装される幅と深さに形成された熱供給体嵌装部、５３は熱供給体嵌装部５２に連通しヒートパイプ１３が嵌装される略Ｕ字状に形成されたヒートパイプ嵌装部、５４は上層断熱体５５（後述する）と下層断熱体５７（後述する）からなる断熱体、５５はポリプロピレン等の合成樹脂製で下面が開口する略直方体に形成され放熱体５１を搭載する上層断熱体、５６は上層断熱体５４の上面に凹設され熱供給体嵌装部５２及びヒートパイプ嵌装部５３を収納し放熱体５１の下面と上層断熱体５５の上面が密接される凹部からなる収納凹部、５７は上部が上層断熱体５５の開口部に嵌装され上層断熱体５５を支持する発泡ポリスチレン等の独立気泡を有する下層断熱体である。
【００４７】
以上のように実施の形態３の床・壁面冷暖房ユニットは構成されているので、実施の形態１で得られる作用に加え、以下のような作用が得られる。
（１）断熱体を背面に有しているので、熱供給体やヒートパイプからの熱の背面への流出を防止するので、熱効率に優れるとともに省エネルギー性に優れる。また、遮音性にも優れる。
（２）上層断熱体で熱供給体やヒートパイプを支持するとともに下層断熱体による優れた断熱効果や遮音効果が得られる。
（３）放熱体が熱供給体やヒートパイプの直上部以外にも熱を拡散させて伝達させるので、温度分布を均一にすることができ温度ムラがなく快適性に優れる。
（４）熱供給体嵌装部とヒートパイプ嵌装部とを備えているので、熱供給体とヒートパイプとを嵌装して放熱体の上面を面一にすることができ、放熱体の上面に配設される床材や壁材等の施工性に優れるとともに床面や壁面への伝熱効率に優れる。
（５）熱供給体嵌装部とヒートパイプ嵌装部が、熱供給体とヒートパイプから放射された熱を反射させるので、床面や壁面への伝熱効率に優れる。
【００４８】
なお、本実施の形態においては、断熱体５４が上層断熱体５５と下層断熱体５７とが積層された構造について説明したが、積層構造とせずに一体型としたり、発泡ポリスチレン製等の断熱体（下層断熱体）だけを用いる場合もある。
また、放熱体５１を断熱体５４上に配設しない場合もある。この場合は、収納凹部５６が、熱供給体１１やヒートパイプ１３の係止固定部となる。また、この場合も、積層構造とせずに一体型としたり、発泡ポリスチレン製等の断熱体（下層断熱体）だけを用いることができる。
【００４９】
次に、以上のように構成された実施の形態３の床・壁面冷暖房ユニットを用いた床面の冷暖房構造について、図面を参照しながら説明する。
図７は実施の形態３の床・壁面冷暖房ユニットを用いた床面の冷暖房構造を示す要部平面図であり、図８はその要部断面図である。なお、実施の形態３で説明したものと同様のものは、同じ符号を付して説明を省略する。
図７において、７０は基礎部（図示しない）上に載置・接合された土台、７１は大引受（図示しない）間に架設・接合された大引、７２ａ，７２ｂ，７２ｃは大引７１上に載置・接合された根太である。床・壁面冷暖房ユニット５０，５０ａ，５０ｂは根太７２ａ，７２ｂ間に敷設されており、床・壁面冷暖房ユニット５０ｃ，５０ｄ，５０ｅは根太７２ｂ，７２ｃ間に敷設されている。７３は床・壁面冷暖房ユニット５０，５０ａ，５０ｂ間、床・壁面冷暖房ユニット５０ｃ，５０ｄ，５０ｅ間を接続するフレア式管継手，くい込み式管継手，ビクトリック型管継手等のストレート型管継手等からなる管継手、７４は床・壁面冷暖房ユニット５０ａと根太７２ｂを挟んで隣接する床・壁面冷暖房ユニット５０ｄとに接続されたフレア式管継手，くい込み式管継手，ビクトリック型管継手等からなるエルボ型継手、７５はエルボ型継手７４，７４間に接続されたポリブテン管等からなる接続用配管である。
図８において、１１は熱供給体、１２は通液部、１３はヒートパイプ、５１は放熱体、５５は上層断熱体、５７は下層断熱体、７１は大引、７２は根太、７６は根太７２間に架設された床板である。
【００５０】
以上のように実施の形態３の家屋の冷暖房構造は構成されているので、以下のような作用が得られる。
（１）断熱体を大引の上に備えているので、熱供給体やヒートパイプからの熱の流出を防止し、熱効率に優れるとともに省エネルギー性に優れる。また、遮音性にも優れる。
（２）放熱体が熱供給体やヒートパイプの直上部以外にも熱を拡散させて床板に伝達させるので、床板の温度分布を均一にすることができ温度ムラがなく快適性に優れる。
（３）床・壁面冷暖房ユニットが根太間の間隔に合わせて作成されているので、根太間に嵌め込んでいくだけで断熱体や熱供給体等の配置ができ、品質の安定性に優れる。
【００５１】
次に、家屋の冷暖房構造の施工方法について、図面を参照しながら説明する。
床・壁面冷暖房ユニットの施工方法は、図７、図８に示すように、まず根太７２ａ，７２ｂに沿って大引７１の上に床・壁面冷暖房ユニット５０，５０ａ，５０ｂの下層断熱体５７を嵌装した上層断熱体５５の収納凹部５６が連通するように敷設する。次に、敷設された上層断熱体５５上に放熱体５１を敷設する。次いで、床・壁面冷暖房ユニット５０，５０ａ，５０ｂの熱供給体１２同士を管継手７３で接続して熱供給体１２，ヒートパイプ１３が放熱体５１の熱供給体嵌装部５２及びヒートパイプ嵌装部５３に嵌装されるように放熱体５１上に配設する。同様にして、根太７２ｂ，７２ｃ間にも床・壁面冷暖房ユニット５０ｃ，５０ｄ，５０ｅを配設する（ユニット配設工程）。
次いで、配管系を形成するために、床・壁面冷暖房ユニット５０ａ，５０ｄにエルボ型継手７４を接続し、エルボ型継手７４，７４間に接続用配管７５を接続する。その際、接続用配管７５の下部の根太７２ｂに接続用配管７５を配設することができる凹部を形成し、凹部に接続用配管７５を配設する。根太７２ｂの機械的強度の低下を防止するため、凹部の形成された根太７２ａの下面側に鋼板等の補強用部材（図示しない）をボルト等で固着する。また、接続用配管７５を土台の上に立設された柱（図示しない）の近傍に配設するときは、必要に応じて、柱の一部を削ってその部分に接続用配管７５を配設する場合もある。その場合も同様に、柱の一部に鋼板等で形成された補強用部材をボルト等で固着して機械的強度の低下を防止する。また、柱の背面に接続用配管７５を配設する場合には、グラスウール等の断熱体を接続用配管７５に被覆して接続用配管７５を流れる温水や冷水等の温度が変動するのを抑制すると好ましい。
このように継手を用いて床・壁面冷暖房ユニットのループを形成し、さらにそのループにボイラ、温水循環ポンプ、温水分配機等の温水加熱循環手段（図示しない）や冷水循環手段を接続する（配管工程）。
次いで、床・壁面冷暖房ユニットの上面に根太７２間に床板７６を架設することにより床材を配設する（床壁材配設工程）。
【００５２】
以上のように、実施の形態３における家屋の冷暖房構造の施工方法は構成されているので、以下のような作用が得られる。
（１）大引や根太等の床支持部材の間に、定型化された床・壁面冷暖房ユニットを敷き詰めて配設した後に床材又は壁材を配設するだけなので、作業工程を極めて簡略化でき作業工数を削減することができる。
（２）ユニット化されているので、部品点数が少なく、また位置決め等も容易で作業の間違い等による建築資材の破損損失が防止できるとともに工期を大幅に短縮することができる。
（３）床・壁面冷暖房ユニットが根太間の間隔に合わせて作成されているので、根太間に嵌め込んでいくだけで断熱体や熱供給体等の配置ができ、品質の安定性に優れる。
【００５３】
なお、本実施の形態では、床・壁面冷暖房ユニット間を管継手やエルボ型継手で接続した場合について説明したが、熱供給体の端部同士を溶接等で接続することもできる。
【００５４】
（実施の形態４）
図９は、実施の形態４における床・壁面冷暖房ユニットを用いた床面の冷暖房構造の要部断面図である。なお、実施の形態３と同様のものは、同じ符号を付して説明を省略する。
７７は発泡ポリウレタン等の合成樹脂製で形成された断熱体、７８は断熱体７７に内蔵されポリプロピレンやＡＢＳ等の合成樹脂製で成形され放熱体５１を支持する補強部材である。
実施の形態４が実施の形態３と異なる点は、断熱体７７が上層断熱体と下層断熱体を有する積層構造ではない点と、断熱体７７に補強部材７８が内蔵され放熱体５１（熱供給体１１やヒートパイプ１３）を支持している点である。これにより、断熱体７７の変形を防止することができるとともに床板７６からの荷重から熱供給体１２とヒートパイプ１３の熱授受部１４との接合部を保護することができるので耐久性に優れる。
なお、本実施の形態では断熱体７７に補強部材７８が内蔵された場合について説明したが、発泡ポリスチレン等の剛性を有する断熱体の場合には補強部材を内蔵しなくてもよい。
【００５５】
（実施の形態５）
図１０は実施の形態５における床・壁面冷暖房ユニットの分解斜視図であり、図１１は実施の形態５における床・壁面冷暖房ユニットを用いた床面の冷暖房構造の要部断面図である。なお、実施の形態１で説明したものと同様のものは、同じ符号を付して説明を省略する。
図１０において、８０は実施の形態５の床・壁面冷暖房ユニット、１１は熱供給体、１２は通液部、１３はヒートパイプ、１４は熱授受部、１５は放吸熱部である。８１は上層断熱体８２（後述する）と下層断熱体８７（後述する）からなる断熱体、８２はポリプロピレン等の合成樹脂製で下面が開口する略直方体に形成され上面の略中央部に熱供給体１１が設置される上層断熱体、８３は上層断熱体８２の上面に複数突設された支持体、８４は支持体８４の上端部に回転自在に軸着固定されヒートパイプ１３を係止する半割状の係止固定部、８５は上層断熱体８２の側面に突設され基部が狭く端部が広い略楔状に形成された連結凸部、８６は上層断熱体８２の側面に形成され連結凸部８５が係止される連結凹部、８７は上部が上層断熱体８２の開口部に嵌装され上層断熱体８２を支持する発泡ポリスチレン等の合成樹脂製で形成され独立気泡を有する下層断熱体である。
図１１において、１３はヒートパイプ、８２は上層断熱体、８３は支持体、８４は係止固定部、８７は下層断熱体である。８８は壁、８９はスラブ、９０はポリスチレン等の合成樹脂製等の発泡状や繊維状等で形成され壁８８と上層断熱体８２の側面との間に介挿された緩衝体、９１はヒートパイプ１３の上面に接して配設された溶接金網（金属メッシュ）からなる放熱体、９１ａはコンクリートである。
【００５６】
次に、以上のように構成された実施の形態５の床・壁面冷暖房ユニットを用いた床面の冷暖房構造について、その施工方法を説明する。
施工方法は、図１０、図１１に示すように、まず、スラブ８９の上に下層断熱体８７を嵌装した上層断熱体８２を配設する。その際、連結凹部８６に連結凸部８５を係止していく。壁８８の近傍に配設された上層断熱体８２の側面と壁８８の間には緩衝体９０を介挿しておく。スラブ８９の上に上層断熱体８２及び下層断熱体８３を配設したら、次に、係止固定部８４にヒートパイプ１３を係止していく（ユニット配設工程）。
次いで、熱供給体１１の両端部には、実施の形態３で説明したのと同様にストレート型やベンド型の継手を接続して熱供給体１１（床・壁面冷暖房ユニット５０）のループを形成する（配管工程）。
ループを形成し終えたら、次に、ヒートパイプ１３の上面に接して溶接金網（金属メッシュ）からなる放熱体９１を配設する。次いで、放熱体９１の上方と下方のかぶりが略同じになるようにコンクリート９１ａを敷設する（床壁材配設工程）。コンクリート硬化後、必要に応じて、フローリング，畳，カーペット等のシート，石材等を敷設することができる。
【００５７】
以上のように、実施の形態５の床・壁面冷暖房ユニット、家屋の冷暖房構造、及びその施工方法は構成されているので、実施の形態１又は３に記載の作用の他、以下のような作用が得られる。
（１）係止固定部を有しているので、断熱体の上面で熱供給体やヒートパイプを係止固定でき施工性に優れる。
（２）係止固定部を有しているので、床面からの荷重から熱供給体とヒートパイプの熱授受部との接合部を保護することができるので耐久性に優れる。
（３）連結凸部を連結凹部に係止して敷設することができるので、位置決めが容易で施工の作業性に優れる。
（４）コンクリート施工に必須の溶接金網が放熱体の役割を果たすので、施工性に優れる。
（５）ヒートパイプの上に密接して放熱体（溶接金網）が配設され、その結果、放熱体（溶接金網）の上方と下方のかぶりが略同じになるようにコンクリートを敷設することができるので、ヒートパイプの熱膨張やヒートショックによるクラックがコンクリートに発生し難く耐久性に優れる。
（６）緩衝体が断熱体の側面と壁面との間に介挿されているので、壁面との遮音性や断熱性に優れる。
【００５８】
なお、本実施の形態では、係止固定部がヒートパイプを固定していたが、熱供給体を固定するようにしてもよい。また、熱供給体とヒートパイプの両方を固定するようにしてもよい。
【００５９】
（実施の形態６）
図１２は実施の形態６における家屋の冷暖房構造の要部断面図である。なお、実施の形態１又は実施の形態３で説明したのと同様のものは、同じ符号を付して説明を省略する。
図１２において、１００は実施の形態６における家屋の冷暖房構造、１０１は根太７２間に架設され既設の床面を形成する床板、１０２は発泡ポリスチレン等の合成樹脂製等で形成され床板１０１の上面に載置された断熱体、１０３は断熱体１０２，熱供給体１１，ヒートパイプ１３の上面に載置されたフローリング等の床材である。
【００６０】
以上のように実施の形態６における家屋の冷暖房構造は構成されているので、以下のような作用が得られる。
（１）既設の床面の上面に、熱供給体とヒートパイプと断熱体とを有する床・壁面冷暖房ユニットが配設されているので、床・壁面を冷暖房構造とする家屋のリフォームを容易に行うことができる。
（２）冷房又は暖房による快適性と断熱性の両方に優れる。
（３）床・壁面冷暖房ユニットが断熱体を備えているので、熱供給体やヒートパイプからの熱の流出を防止し、熱効率に優れるとともに省エネルギー性に優れる。また、遮音性にも優れる。さらに、床材からの荷重を分散させるので、荷重が熱供給体やヒートパイプに集中せず耐久性に優れる。
【００６１】
なお、本実施の形態においては、床・壁面冷暖房ユニットが放熱体を備えていない場合について説明したが、アルミニウム製等の薄板等で形成された放熱体が床材１０３の下面に配設された場合は、熱供給体１１やヒートパイプ１３の直上部以外にも熱を拡散させて床材１０３に伝達させるので、温度分布を均一にすることができ温度ムラがなく快適性に優れる。
【００６２】
次に、実施の形態６における家屋の冷暖房構造について、その施工方法を、図面を参照しながら以下説明する。
家屋の冷暖房構造の施工方法は、図１２に示すように、まず既設の床板１０１の上面に熱供給体１１とヒートパイプ１３と断熱体１０２とを有する床・壁面冷暖房ユニットを配設する（ユニット配設工程）。
次いで、熱供給体１２間を連結する配管系を、実施の形態３で説明したのと同様にして、継手や接続用配管を用いて形成し、床・壁面冷暖房ユニットのループを形成する。さらに、ボイラ、温水循環ポンプ等の温水循環手段や冷水循環手段を接続する（配管工程）。
次いで、熱供給体１１，ヒートパイプ１３，断熱体１０２を有する床・壁面冷暖房ユニットの上面に床材１０３を配設する（床壁材配設工程）。
【００６３】
以上のように実施の形態６における家屋の冷暖房構造の施工方法は構成されているので、実施の形態３に記載の作用に加え、以下のような作用が得られる。
（１）既設の床面の上面に床・壁面冷暖房ユニットを配設するので、床面を冷暖房構造とする家屋のリフォームを容易に行うことができ経済性に優れるとともに施工性に優れる。
【００６４】
（実施の形態７）
図１３は実施の形態７における家屋の冷暖房構造の要部断面図である。なお、実施の形態１，３，６で説明したのと同様のものは、同じ符号を付して説明を省略する。
図１３において、１００ａは実施の形態７における家屋の冷暖房構造、１０２ａは発泡ポリスチレン等の合成樹脂製等でヒートパイプ１３を支持できる大きさに形成され床板１０１の上面に載置された断熱体、１０３ａは熱供給体１１，ヒートパイプ１３の上面に載置されたフローリング等の床材、１０３ｂは床材１０３ａの下面に熱供給体１１，ヒートパイプ１３，断熱体１０２ａを収納できる大きさと深さに形成された窪部である。
実施の形態７における家屋の冷暖房構造が実施の形態６と異なる点は、床材１０３ａの下面に窪部１０３ｂが形成され、窪部１０３ｂが熱供給体１１，ヒートパイプ１３，断熱体１０２ａを収納している点である。
【００６５】
以上のように実施の形態７における家屋の冷暖房構造は構成されているので、実施の形態６に記載の作用に加え、以下のような作用が得られる。
（１）床材に窪部が形成され熱供給体やヒートパイプ等が収納されているので、施工後に既設の床面から増加する厚みが少ないため、違和感が少なく快適性に優れる。
【００６６】
（実施の形態８）
図１４は実施の形態８における家屋の冷暖房構造の要部断面図である。なお、実施の形態１，５，６で説明したのと同様のものは、同じ符号を付して説明を省略する。
図１４において、１００ｂは実施の形態８における家屋の冷暖房構造、１０１ａは床板１０１の上面に熱供給体１１，ヒートパイプ１３を嵌装できる大きさと深さに形成された嵌装凹部である。嵌装凹部１０１ａは、熱供給体１１とヒートパイプ１３を嵌装して床板１０１の上面と熱供給体１１，ヒートパイプ１３の上面とを面一のフラット状に形成している。
以上のように構成された実施の形態８における家屋の冷暖房構造が実施の形態６と異なる点は、床材１０１の上面に嵌装凹部１０１ａが形成され、熱供給体１１，ヒートパイプ１３を嵌装している点である。
【００６７】
以上のように実施の形態８における家屋の冷暖房構造は構成されているので、実施の形態６に記載の作用に加え、以下のような作用が得られる。
（１）既設の床面や壁面に形成された嵌装凹部に、床・壁面冷暖房ユニットの熱供給体及びヒートパイプを嵌装して床面や壁面をフラット状に形成できるので、その上面に配設された床材や壁材の厚み分だけしか床面や壁面の厚みが増加しないため、施工後の違和感が少なく快適性に優れる。
【００６８】
なお、本実施の形態においては、床・壁面冷暖房ユニットが放熱体を備えていない場合について説明したが、実施の形態６で説明したのと同様に、アルミニウム製等の薄板等で形成された放熱体を床材１０３の下面に配設する場合もある。また、嵌装凹部を大きく形成してヒートパイプ１３や熱供給体１１の背面に発泡ポリスチレン等の断熱体を配設することもできる。これにより、熱の背面への流出を防止することができ、熱効率に優れるとともに省エネルギー性に優れる。
【００６９】
次に、実施の形態８における家屋の冷暖房構造について、その施工方法を、図面を参照しながら以下説明する。
家屋の冷暖房構造の施工方法は、図１４に示すように、まず既設の床板１０１の上面の所定の位置に嵌装凹部１０１ａを切削等により形成する。嵌装凹部１０１ａは熱供給体１１とヒートパイプ１３とを嵌装できる大きさと深さに形成するとともに、必要に応じて、熱供給体１１間を接続する継手や接続用配管（図示しない）を嵌装するものも形成する（嵌装凹部形成工程）。
次いで、形成された嵌装凹部１０１ａに熱供給体１１とヒートパイプ１３とを嵌装し床・壁面冷暖房ユニットを配設する（ユニット嵌装工程）。
次いで、実施の形態６で説明したのと同様に配管工程と床壁材配設工程とを行う。なお、配管工程において、継手や接続用配管を、必要に応じて形成した嵌装凹部に嵌装することもできる。
【００７０】
以上のように実施の形態８における家屋の冷暖房構造の施工方法は構成されているので、実施の形態６に記載の作用に加え、以下のような作用が得られる。
（１）嵌装凹部形成工程を有しているので、既設の床面に形成された嵌装凹部に、床・壁面冷暖房ユニットの熱供給体及びヒートパイプを嵌装して床面をフラット状に形成できる。そのため、床壁材配設工程で配設される床材や壁材は底部がフラット状の標準のものを用いることができ施工性に優れるとともに、配設された床材の厚み分だけしか床面の厚みが増加せず、施工後の違和感が少なく快適性に優れた家屋の冷暖房構造が得られる。
【００７１】
以上、床・壁面冷暖房ユニットを用いた床面の冷暖房構造及びその施工方法について説明したが、壁面の冷暖房構造及びその施工方法についても床面とほぼ同様である。
図１５は、床・壁面冷暖房ユニットを用いた壁面の暖房構造の他の施工例を示す概略図である。
１１０は基礎部（図示しない）の上面に載上・接続された土台、１１１は桁、１１２は柱や間柱（いずれも図示しない）の側面に鋲，ボルト等の固定部材や接着剤，粘着テープ等で固定された床・壁面冷暖房ユニットの断熱体、１１３は断熱体１１２に保持され土台１１０付近に横設された床・壁面冷暖房ユニットの熱供給体、１１４は略蛇腹状に形成され所定部が熱供給体１１３に固着され断熱体１１２に保持されて垂設されたヒートパイプである。
以上のように壁面の暖房構造は構成されているので、熱供給体１１３に固着されたヒートパイプの熱授受部で発生した気相部が上昇し易く暖房効率に優れる。
なお、壁面の冷房構造の場合には、熱供給体１１３を桁１１１近くに横設しヒートパイプ１１４を吊設するようにすると、液相部が下降し易く冷房効率に優れる。また、熱供給体１１３を流れる冷水等の液状熱媒体で冷された空気が下降し床面付近を冷却するので、快適性に優れる。
【００７２】
【発明の効果】
以上のように、本発明の床・壁面冷暖房ユニット及び家屋の冷暖房構造並びにその施工方法によれば、以下のような有利な効果が得られる。
請求項１に記載の発明によれば、
（１）ヒートパイプの熱授受部が熱供給体と面接触しているので、接触面積が広く、熱供給体から供給される熱のヒートパイプへの伝熱効率に優れた床・壁面冷暖房ユニットを提供することができる。
（２）熱供給体の熱がヒートパイプに伝達されるので、熱供給体を床や壁の全面に配置する必要がなく、熱供給体の全長を短くすることができる。そのため、設備負荷を抑え、省エネルギー性に優れた床・壁面冷暖房ユニットを提供することができる。
（３）熱供給体として液体の流れる通液部を用いた場合には、液体の流量を少なくすることができるので、暖房始動時等のボイラ等の稼働時間を短くすることができ、所望する冷暖房温度が短時間で得られ快適性に優れた床・壁面冷暖房ユニットを提供することができる。
（４）ヒートパイプと熱供給体とは面接触しているだけなので、構造が簡単で耐久性に優れた床・壁面冷暖房ユニットを提供することができる。
（５）熱授受部が熱供給体の内部で挿通固定されると、熱供給体の外表面の形状に関わらず、熱授受部と熱供給体とを面接触させることができ自在性に優れた床・壁面冷暖房ユニットを提供することができる。
（６）熱授受部が熱供給体の内部で挿通固定されると、熱供給体内部の温水等の液状熱媒体と熱授受部が直接熱交換するので、熱効率に優れた床・壁面冷暖房ユニットを提供することができる。
（７）断熱体を背面に有しているので、熱供給体やヒートパイプからの熱の背面への流出を防止するので、熱効率に優れるとともに省エネルギー性に優れた床・壁面冷暖房ユニットを提供することができる。また、遮音性にも優れた床・壁面冷暖房ユニットを提供することができる。
（８）断熱体を機械的強度の高い上層断熱体と発泡性が高く断熱性の高い下層断熱体とを組み合わせた構造としているので、上層断熱体で熱供給体やヒートパイプを支持するとともに下層断熱体による優れた断熱効果や遮音効果が得られる床・壁面冷暖房ユニットを提供することができる。
【００７３】
請求項２に記載の発明によれば、請求項１の効果に加え、
（１）断熱体の変形を防止することができるとともに床面や壁面からの荷重から熱供給体とヒートパイプの熱授受部との接合部を保護することができるので耐久性に優れた床・壁面冷暖房ユニットを提供することができる。
【００７４】
請求項３に記載の発明によれば、請求項１又は２の効果に加え、
（１）嵌合凹部を備えているので、ヒートパイプと熱供給体との接触面積が増大し、伝熱効率に優れた床・壁面冷暖房ユニットを提供することができる。
（２）ヒートパイプと熱供給体とを各々製造し、ヒートパイプを熱供給体に形成された嵌合凹部に嵌合させれば、ヒートパイプと熱供給体とが密接されるので生産性に優れるとともに、ヒートパイプの熱授受部の位置が固定され品質の安定性に優れた床・壁面冷暖房ユニットを提供することができる。
（３）ヒートパイプと熱供給体とを各々製造することができるので、各々の加工が容易で生産性に優れるとともに品質の安定性に優れた床・壁面冷暖房ユニットを提供することができる。
【００７５】
請求項４に記載の発明によれば、請求項１乃至３の内いずれか１の効果に加え、
（１）断熱体の上面の係止固定部で熱供給体やヒートパイプを係止固定できるので施工性に優れた床・壁面冷暖房ユニットを提供することができる。
（２）係止固定部が熱供給体やヒートパイプを支持して、床面からの荷重から熱供給体とヒートパイプの熱授受部との接合部を保護することができるので耐久性に優れた床・壁面冷暖房ユニットを提供することができる。
【００７６】
請求項５に記載の発明によれば、請求項４の効果に加え、
（１）断熱体上の所望の位置に熱供給体やヒートパイプを係止できるので自在性に優れた床・壁面冷暖房ユニットを提供することができる。
【００７７】
請求項６に記載の発明によれば、請求項１乃至５の内いずれか１の効果に加え、
（１）連結凸部を連結凹部に係止して敷設することができるので、位置決めが容易で施工の作業性に優れた床・壁面冷暖房ユニットを提供することができる。
（２）隙間無く連結されるので、振動等によってずれたり変形したりすることがなく耐久性に優れた床・壁面冷暖房ユニットを提供することができる。
【００７８】
請求項７に記載の発明によれば、請求項１乃至６の内いずれか１の効果に加え、
（１）放熱体が熱供給体やヒートパイプの直上部以外にも熱を拡散させて伝達させるので、温度分布を均一にすることができ温度ムラがなく快適性に優れた床・壁面冷暖房ユニットを提供することができる。
【００７９】
請求項８に記載の発明によれば、請求項７の効果に加え、
（１）熱供給体嵌装部とヒートパイプ嵌装部とを備えているので、熱供給体とヒートパイプとを嵌装して放熱体の上面を面一にすることができ、放熱体の上面に配設される床材や壁材等の施工性に優れるとともに床面や壁面への伝熱効率に優れた床・壁面冷暖房ユニットを提供することができる。
（２）熱供給体嵌装部とヒートパイプ嵌装部が、熱供給体とヒートパイプから放射された熱を輻射・反射させるので、床面や壁面への伝熱効率に優れた床・壁面冷暖房ユニットを提供することができる。
【００８０】
請求項９に記載の発明によれば、
（１）冷房又は暖房による快適性と断熱性の両方に優れた家屋の冷暖房構造を提供することができる。
（２）床・壁面冷暖房ユニットが断熱体を備えている場合は、熱供給体やヒートパイプからの熱の流出を防止し、熱効率に優れるとともに省エネルギー性に優れた家屋の冷暖房構造を提供することができる。また、遮音性にも優れた家屋の冷暖房構造を提供することができる。
（３）放熱体を備えている場合は、放熱体が熱供給体やヒートパイプの直上部以外にも熱を拡散させて床面や壁面に伝達させるので、床面や壁面の温度分布を均一にすることができ温度ムラがなく快適性に優れた家屋の冷暖房構造を提供することができる。
（４）既設の床面や壁面の上面に床・壁面冷暖房ユニットが配設されると、床・壁面を冷暖房構造とする家屋のリフォームを容易に行うことができる。
【００８１】
請求項１０に記載の発明によれば、請求項９の効果に加え、
（１）既設の床面や壁面に形成された嵌装凹部に、床・壁面冷暖房ユニットが嵌装されて床面や壁面をフラット状に形成できるので、その上面に配設された床材や壁材の厚み分だけしか床面や壁面の厚みが増加しないため、施工後の違和感が少なく快適性に優れた家屋の冷暖房構造を提供することができる。
【００８２】
請求項１１に記載の発明によれば、
（１）床支持部材や壁支持部材の間や上面に、又は、床面や壁面の上面に、定型化された床・壁面冷暖房ユニットを敷き詰めて配設し、熱供給体間の配管を行った後に床材又は壁材を配設するだけなので、作業工程を極めて簡略化でき作業工数を削減することができる家屋の冷暖房構造の施工方法を提供することができる。
（２）ユニット化されているので、部品点数が少なく、また位置決め等も容易で作業の間違い等による建築資材の破損損失が防止できるとともに工期を大幅に短縮することができる家屋の冷暖房構造の施工方法を提供することができる。
（３）床・壁面冷暖房ユニットは工場で安定生産することができ、建築現場では該ユニットを床支持部材や壁支持部材の上や間に配設した後に配管するだけなので、作業が簡便で品質の安定性に優れた家屋の冷暖房構造の施工方法を提供することができる。
【００８３】
請求項１２に記載の発明によれば、請求項１１の効果に加え、
（１）嵌装凹部形成工程を有しているので、既設の床面や壁面に形成された嵌装凹部に、床・壁面冷暖房ユニットを嵌装して床面や壁面をフラット状に形成できる。そのため、床壁材配設工程で配設される床材や壁材は標準のものを用いることができ施工性に優れるとともに、配設された床材や壁材の厚み分だけしか床面や壁面の厚みが増加せず、施工後の違和感が少なく快適性に優れた冷暖房構造が得られる家屋の冷暖房構造の施工方法を提供することができる。
【図面の簡単な説明】
【図１】実施の形態１における床・壁面冷暖房ユニットの斜視図
【図２】図１のＡ−Ａ線の断面図
【図３】ヒートパイプに封入された熱媒体の概略図
【図４】床・壁面冷暖房ユニットの応用例を示す要部斜視図
【図５】実施の形態２における床・壁面冷暖房ユニットの要部斜視図
【図６】実施の形態３における床・壁面冷暖房ユニットの分解斜視図
【図７】実施の形態３の床・壁面冷暖房ユニットを用いた床面の冷暖房構造を示す要部平面図
【図８】実施の形態３の床・壁面冷暖房ユニットを用いた床面の冷暖房構造を示す要部断面図
【図９】実施の形態４における床・壁面冷暖房ユニットを用いた床面の冷暖房構造の要部断面図
【図１０】実施の形態５における床・壁面冷暖房ユニットの分解斜視図
【図１１】実施の形態５における床・壁面冷暖房ユニットを用いた床面の冷暖房構造の要部断面図
【図１２】実施の形態６における家屋の冷暖房構造の要部断面図
【図１３】実施の形態７における家屋の冷暖房構造の要部断面図
【図１４】実施の形態８における家屋の冷暖房構造の要部断面図
【図１５】床・壁面冷暖房ユニットを用いた壁面の暖房構造の他の施工例を示す概略図
【符号の説明】
１  床・壁面冷暖房ユニット
２  熱供給体
３  通液部
４  嵌合凹部
５  ヒートパイプ
６  熱授受部
７，８  放吸熱部
９  熱媒体
９ａ  液相部
９ｂ  気相部
１０  床・壁面冷暖房ユニット
１１  熱供給体
１２  通液部
１３  ヒートパイプ
１４  熱授受部
１５  放吸熱部
２０  床・壁面冷暖房ユニット
２１  熱供給体
２２  通液部
２３  溝部
２４  ヒートパイプ
２５  熱授受部
２６  放吸熱部
２７  緊締部材
３０  床・壁面冷暖房ユニット
３１  熱供給体
３２  通液部
３３  熱授受部
３４  放吸熱部
３５  緊締部材
４０  床・壁面冷暖房ユニット
４１  熱供給体
４２  通液部
４３  放吸熱部
４４  熱授受部
５０，５０ａ，５０ｂ，５０ｃ，５０ｄ，５０ｅ  床・壁面冷暖房ユニット
５１  放熱体
５２  熱供給体嵌装部
５３  ヒートパイプ嵌装部
５４  断熱体
５５  上層断熱体
５６  収納凹部
５７  下層断熱体
７０  土台
７１  大引
７２，７２ａ，７２ｂ，７２ｃ  根太
７３  管継手
７４  エルボ型継手
７５  接続用配管
７６  床板
７７  断熱体
７８  補強部材
８０  床・壁面冷暖房ユニット
８１  断熱体
８２  上層断熱体
８３  支持体
８４  係止固定部
８５  連結凸部
８６  連結凹部
８７  下層断熱体
８８  壁
８９  スラブ
９０  緩衝体
９１  放熱体
９１ａ  コンクリート
１００，１００ａ，１００ｂ  家屋の冷暖房構造
１０１  床板
１０１ａ  嵌装凹部
１０２，１０２ａ  断熱体
１０３，１０３ａ  床材
１０３ｂ  窪部
１１０  土台
１１１  桁
１１２  断熱体
１１３  熱供給体
１１４  ヒートパイプ
【図１】
0003615202.tif 000002
【図２】
0003615202.tif 000003
【図３】
0003615202.tif 000004
【図４】
0003615202.tif 000005
【図５】
0003615202.tif 000006
【図６】
0003615202.tif 000007
【図７】
0003615202.tif 000008
【図８】
0003615202.tif 000009
【図９】
0003615202.tif 000010
【図１０】
0003615202.tif 000011
【図１１】
0003615202.tif 000012
【図１２】
0003615202.tif 000013
【図１３】
0003615202.tif 000014
【図１４】
0003615202.tif 000015
【図１５】
0003615202.tif 000016